(57)【要約】【課題】  従来の電子化健康管理ソフトウエアは，管理項目ごとの計測値の推移グラフは自動描画するが，用いるグラフ用紙は，従来の紙などで使われている既成の標準グラフ用紙の様式をそのまま電子化するものなので，推移グラフを意図的に用紙の中央部に描画できない。更に，標準グラフ用紙では，縦軸が該当項目で管理する最小値から最大値までを含む広い範囲であるので，日々のグラフ線の上下の変化は小さく，目視確認しにくい。【解決手段】  グラフの縦軸値を利用者に合わせた専用のグラフ用紙を用意して，計測値が用紙の描画限界を超えるかを検出して，縦軸値を変更したグラフ用紙を新たに作成する契機とすれば，計測値を入力するだけで，推移グラフを用紙の中央部分に自動的に描画できる。また，縦軸の幅を推移グラフ描画期間内に変動する狭い範囲などに限定すれば，日々のグラフ線の上下変化は大きく描画できて，目視確認しやすくなる。【選択図】図１
2008181469.tif 000002
【特許請求の範囲】
【請求項１】
健康管理の項目ごとに，計測値の推移グラフを描画するためのグラフ用紙を作成する機能，グラフ用紙作成に関わる諸条件を記録保持する機能，入力された計測値が計測ミスや誤入力でないことを確認する機能，計測値を不揮発性の記録媒体に記録する機能と，記録媒体から必要な日数分のデータを読み出して推移グラフを描画する機能，および，入力された計測値を用いてグラフ用紙の再作成が必要であるかを判定する機能を有することを特徴とする電子化健康管理ソフトウエア。
【発明の詳細な説明】
【技術分野】
【０００１】  本発明は，健康データの推移グラフを表示する電子化健康管理ソフトウエアに関する。
【背景技術】
【０００２】  血圧値，体重値，体脂肪率などの健康緒データを，パーソナルコンピュータなどを用いて管理するソフトウエアには，それぞれの管理項目毎で，利用者に代わり過去から現在までの計測値の推移を自動でグラフ表示するものがあるが，推移グラフの描画には，従来，紙などの印刷物で用いられる標準のグラフ用紙の書式をそのまま電子化するグラフ用紙を使用するなどで，推移グラフ全体を書き直すグラフ再描画機能は用いられない。【０００３】  グラフ再描画機能とは，推移グラフの状況，例えば，最新の計測値がグラフ用紙の描画範囲外である，或いは，描画領域の端に近づくなど描画限界を超えそうな場合に，自動的に推移グラフ全体をグラフ用紙中央部にシフトして再描画する機能のことである。【０００４】  以下，図２により従来の電子化健康管理ソフトウエアについて説明する。図２は管理項目毎の推移グラフ作成機能に関わる処理を表すフローチャートである。まず，管理項目ごとの標準グラフ用紙を準備する。標準グラフ用紙の縦軸は，該当管理項目で管理する最小値から最大値までを含む範囲である。利用者により計測値が入力されると，測定ミスや誤入力でないことを確認した後に，その計測値を読み書き可能な半導体メモリなどに記録する。この様にして日々の測定データが記録蓄積される。その後，必要な日数分のデータを読み出して，既成の標準グラフ用紙に推移グラフを描画する。推移グラフの描画が終了すると，新たな計測値の入力の有無を監視する機能が起動される。利用者により計測値が入力されるたびに，上記の一連の処理を実行する。
【発明の開示】
【発明が解決しようとする課題】
【０００５】  従来の推移グラフ作成機能下では，計測値の描画が標準グラフ用紙からはみ出ることはないが，例えば，計測値が高めの場合は，推移グラフはグラフ用紙の上方に偏って位置し，低めの場合は，グラフ用紙の下方に偏って位置して，いずれの場合も中央部分に描画されない。また，従来の推移グラフ作成機能下では，標準グラフ用紙の縦軸値の範囲が広いので推移グラフ線の上下の移動量は小さくなり，計測値の変化分を目視確認しにくい。【０００６】  本発明はこれら従来の健康管理項目の推移グラフ作成機能が有していた問題を解決するものである。本発明を適用したグラフ作成機能を用いれば，推移グラフはグラフ用紙のほぼ中央部分に自動的に描画されるようになる。また，グラフ用紙の縦軸の範囲を，例えば，１ヶ月の変動範囲などの必要最小限にすることで，推移グラフ線の上下変化を大きく描画して，計測値の変化分を目視確認しやすくする。
【課題を解決するための手段】
【０００７】  本発明は，上記目的を達成するために，入力された計測値を基に，専用グラフ用紙を再作成する必要性を判定する再描画判定機能と，推移グラフ全体をグラフ用紙の中央部分に再描画する機能を有する。【０００８】  上記の課題解決手段による作用は次の通りである。すなわち，本発明の再描画判定機能は，入力された計測値と現在のグラフ縦軸の中央値（以下，基準値と称す）との差を計算する。そして，その差異が予め定められた許容範囲を超えると判定すると，その最新値を新たな基準値として更新，記録する。その後，新しい基準値を基に専用グラフ用紙を再作成して，必要な日数分の計測値データを読み出して推移グラフ全体を再描画する。
【発明の効果】
【０００９】  上述のように本発明の推移グラフ作成機能を有した電子化健康管理ソフトウエアは，利用者に特段の操作を求めずに，また，計測値の絶対値に左右されずに，推移グラフをグラフ用紙のほぼ中央部分に自動的に描画できる。また，本発明のグラフ用紙作成に従えば，縦軸は基準値を中心とした上下に必要最小限の範囲となり，標準のグラフ用紙を使う場合に比べて，推移グラフ線の上下変化が大きく描画される。これらにより，推移グラフの変化の様子が容易に目視確認できるので，利用者の健康管理意欲向上に貢献する。
【発明の実施するための最良の形態】
【００１０】  以下，本発明の実施の形態を，図１を用いて説明する。
【００１１】  図１は本発明の推移グラフ自動再描画機能に関わる処理を表すフローチャートである。まず，管理項目ごとに，初期の基準値と既定の縦軸範囲を用いて利用者専用のグラフ用紙を準備する。基準値の初期値として，利用者が最初に入力した計測値を用いる方法，或いは，利用者が値を指定する方法，又は，一般的な標準値を用いる方法などがある。また，既定の縦軸範囲は，推移グラフの表示期間，例えば，１ヶ月間で変動する最大幅に，測定機器の誤差分や人の読み取り誤差分などを加算した値とするなどの方法がある。
【００１２】  利用者が計測値を入力すると，測定ミスや誤入力でないことを確認した後に，その計測値を読み書き可能な半導体メモリなどに記録する。この様にして日々の測定データが記録蓄積される。その後，先程記録した値と現在の基準値の差異を計算する処理を開始する。差異が既定の許容範囲内にあれば，推移グラフの自動再描画に関わる処理は行わない。必要な日数分の計測値データを読み出して，現在の専用グラフ用紙に推移グラフを描画する。なお，許容範囲は，縦軸の縦軸範囲よりも小さな値に事前に設定される。
【００１３】  差異が許容範囲を超えていると判定されると，現在の基準値を廃棄して，新たに記録した計測値を最新の基準値とする書き換え処理を開始する。
【００１４】  基準値の書き換え処理の機能が，グラフ用紙を再作成する動作を起動させる。基準値を中心として，上下に既定の縦軸範囲をもつ専用グラフ用紙を作成する。この新しいグラフ用紙に，必要な日数分の計測値データを読み出して推移グラフ全体を再描画する。
【００１５】  推移グラフ全体の再描画が終了すると，新たな計測値の入力の有無を監視する機能が起動される。利用者により計測値が入力されるたびに，上記の一連の処理を実行する。
【００１６】  以上のように，本実施形態によれば，利用者は計測値の入力を行うだけで特段の操作を行わずとも，推移グラフをグラフ用紙のほぼ中央部分に自動的に描画させることができる。また，本発明を適用した推移グラフは，グラフ線の上下変化が大きく描画されて，推移の変化分が目視確認しやすくなる。また，グラフ用紙の縦寸法を短くできるので，関連する複数の推移グラフを画面上に同時表示することもできる。このように，利用者の利便性が著しく向上する。
【図面の簡単な説明】
【００１７】
【図１】本発明の実施形態を示す推移グラフ作成動作に関わる処理を表すフローチャート
【図２】従来の健康管理の推移グラフ作成動作に関わる処理を表すフローチャート
【図１】
2008181469.tif 000003
【図２】
2008181469.tif 000004